(57)【要約】【課題】本発明は、スイッチ内の複数の領域を個別に照光する機能を有し且つスライダがスイッチ素子を押圧する際にスライダが傾きにくいスイッチを提供すること。【解決手段】スイッチ１００は、スイッチデバイス２００と、基板７００とを備えている。スイッチデバイス２００は、ケース３００と、スイッチ素子４００と、スライダ５００と、複数の光源とを備えている。ケース３００には、第１ガイド溝３１０と、第２ガイド溝３２０と、第３ガイド溝とが少なくとも設けられている。スイッチ素子４００は、水平面内において、第１ガイド溝３１０から第１方位に延びる第１直線と、第２ガイド溝３２０から第２方位に延びる第２直線と、第３ガイド溝から第３方位に延びる第３直線との交点に位置している。スライダ５００は、第１被ガイド部５１０と、第２被ガイド部５２０と、第３被ガイド部と、少なくとも１つの遮光壁５５０と、押し子５９０とを有している。【選択図】図３
2018133311.tif 000002
【特許請求の範囲】
【請求項１】
スイッチデバイスと、基板とを備えるスイッチであって、
前記スイッチデバイスは前記基板上に取り付けられており、
前記スイッチデバイスは、ケースと、スイッチ素子と、スライダと、複数の光源とを備えており、
前記ケースには、第１ガイド溝と、第２ガイド溝と、第３ガイド溝とが少なくとも設けられており、
前記第１ガイド溝は、上下方向に延びると共に前記上下方向と直交する水平面内において第１方位に開いており、
前記第２ガイド溝は、前記上下方向に延びると共に前記水平面内において第２方位に開いており、
前記第３ガイド溝は、前記上下方向に延びると共に前記水平面内において第３方位に開いており、
前記スイッチ素子は、前記ケース内に収容されており、
前記スイッチ素子は、前記水平面内において、前記第１ガイド溝から前記第１方位に延びる第１直線と、前記第２ガイド溝から第２方位に延びる第２直線と、前記第３ガイド溝から前記第３方位に延びる第３直線との交点に位置しており、
前記スライダは、少なくとも部分的に前記ケース内に収容されており、
前記スライダは、第１被ガイド部と、第２被ガイド部と、第３被ガイド部と、少なくとも１つの遮光壁と、押し子とを有しており、
前記第１被ガイド部、前記第２被ガイド部及び前記第３被ガイド部が前記第１ガイド溝、前記第２ガイド溝及び前記第３ガイド溝に夫々ガイドされることにより、前記スライダは前記上下方向に移動可能となっており、
前記遮光壁は、前記ケースの内側の空間を複数の領域に仕切っており、
前記押し子は、前記上下方向において前記スイッチ素子の上方に位置しており、
前記スライダが押し下げられると、前記押し子は前記スイッチ素子を押圧し、
前記光源の夫々は、一つの前記領域内であって前記基板上に配置されている
スイッチ。
【請求項２】
請求項１記載のスイッチであって、
前記第１方位と前記第２方位とは、互いに逆方位であり、
前記第１直線と前記第２直線とは、互いに重なっており、
前記第１ガイド溝と前記第２ガイド溝とは、前記水平面内において対向している
スイッチ。
【請求項３】
請求項２記載のスイッチであって、
前記第１被ガイド部と前記第２被ガイド部は、一つの前記遮光壁の両端に位置しており、
前記水平面内において、前記第１被ガイド部、前記第２被ガイド部及び前記一つの前記遮光壁は、一つの直線上に位置している
スイッチ。
【請求項４】
請求項３記載のスイッチであって、
前記スイッチ素子は、前記水平面において、前記一つの前記遮光壁の中心と同じ位置に位置している
スイッチ。
【請求項５】
請求項２又は請求項３記載のスイッチであって、
前記押し子は、前記遮光壁の一部として形成されている
スイッチ。
【請求項６】
請求項２から請求項５までのいずれかに記載のスイッチであって、
前記第３直線は、前記第１直線と９０°の角度をなしている
スイッチ。
【請求項７】
請求項１から請求項６までのいずれかに記載のスイッチであって、
前記スライダは、２つ以上の前記遮光壁を有している
スイッチ。
【請求項８】
請求項７記載のスイッチであって、
前記２つ以上の前記遮光壁は、前記ケースの中心で交差している
スイッチ。
【請求項９】
請求項１から請求項８までのいずれかに記載のスイッチであって、
前記スイッチ素子は、前記水平面において、前記ケースの中心と同じ位置に位置している
スイッチ。
【請求項１０】
請求項１から請求項９までのいずれかに記載のスイッチであって、
前記スイッチは、シートを更に備えており、
前記ケースは、側壁部と、上部とを有しており、
前記上部は、前記側壁部の上端から前記水平面内において内側に延びており、
前記上部には開口部が形成されており、
前記スライダは、部分的に前記開口部内に位置しており、
前記シートは、前記上部に貼り付けられており、且つ、前記上下方向において前記スライダの上方に位置している
スイッチ。
【請求項１１】
請求項１０記載のスイッチであって、
前記上部は、前記第１ガイド溝、前記第２ガイド溝及び前記第３ガイド溝の上端を塞いでおり、前記スライダの上限位置を規定している
スイッチ。
【請求項１２】
請求項１０又は請求項１１記載のスイッチであって、
前記スライダは、突出部を有しており、
前記突出部は、前記開口部を通して前記上部よりも上方に突出している
スイッチ。
【請求項１３】
請求項１から請求項１２までのいずれかに記載のスイッチであって、
前記スイッチ素子は前記基板上に固定されている
スイッチ。
【請求項１４】
請求項１から請求項１３までのいずれかに記載のスイッチであって、
前記遮光壁の下端は、前記上下方向において前記基板と対向している
スイッチ。
【請求項１５】
請求項１から請求項１４までのいずれかに記載のスイッチであって、
前記光源はＬＥＤである
スイッチ。
【発明の詳細な説明】
【技術分野】
【０００１】
本発明は、スイッチ内の複数の領域を個別に照光することができるスイッチに関する。
【背景技術】
【０００２】
この種のスイッチは、例えば、特許文献１に開示されている。図１７及び図１８に示されるように、特許文献１のスイッチ９００は、スイッチデバイス９１０と、基板９８０とを備えている。スイッチデバイス９１０は、ケース９２０と、スイッチ素子９３０と、スライダ９４０と、２つの光源９５０とを備えている。ケース９２０には、第１ガイド溝９２１と、第２ガイド溝９２２と、第３ガイド溝９２３と、第４ガイド溝９２４と、仕切り壁９２６とが設けられている。第１ガイド溝９２１は、上下方向（Ｚ方向）に延びると共に上下方向と直交する水平面（ＸＹ平面）内において−Ｙ方向に開いている。第２ガイド溝９２２は、Ｚ方向に延びると共にＸＹ平面内において＋Ｙ方向に開いている。第３ガイド溝９２３は、Ｚ方向に延びると共にＸＹ平面内において−Ｘ方向に開いている。第４ガイド溝９２４は、Ｚ方向に延びると共にＸＹ平面内において＋Ｘ方向に開いている。スイッチ素子９３０及びスライダ９４０は、ケース９２０内に収容されている。スライダ９４０は、第１被ガイド部９４１と、第２被ガイド部９４２と、第３被ガイド部９４３と、第４被ガイド部９４４と、１つの遮光壁９４５と、押し子９４６と、４つの側壁部９４８とを有している。第１被ガイド部９４１、第２被ガイド部９４２、第３被ガイド部９４３及び第４被ガイド部９４４が、第１ガイド溝９２１、第２ガイド溝９２２、第３ガイド溝９２３及び第４ガイド溝９２４に夫々ガイドされることにより、スライダ９４０はケース９２０に対してＺ方向に移動可能となっている。遮光壁９４５は、ケース９２０の内側の空間を、２つの領域９６０に仕切っている。押し子９４６は、スライダ９４０の−Ｘ側の側壁部９４８の下面に位置しており、Ｚ方向においてスイッチ素子９３０の上方に位置している。ケース９２０の仕切り壁９２６とスライダ９４０の遮光壁９４５とは、Ｚ方向において対向している。光源９５０は、遮光壁９４５で仕切られた２つの領域９６０の夫々であって基板９８０上に配置されている。スライダ９４０が押し下げられると、押し子９４６はスイッチ素子９３０を押圧する。
【先行技術文献】
【特許文献】
【０００３】
【特許文献１】特開２００９−１１７０３８号公報
【発明の概要】
【発明が解決しようとする課題】
【０００４】
図１７に示されるように、特許文献１のスイッチ９００においては、スイッチ素子９３０はスライダ９４０の−Ｘ側の壁部９４８の下方に位置している。これにより、スライダ９４０が押し下げられて押し子９４６がスイッチ素子９３０を押下する際、スライダ９４０の−Ｘ側の壁部９４８が＋Ｘ側の壁部９４８に対して上方に位置するようにスライダ９４０全体がＸＹ平面に対して傾く可能性がある。スライダ９４０がこのように傾いた場合、スライダ９４０の第１被ガイド部９４１及び第２被ガイド部９４２が、ケース９２０の第１ガイド溝９２１及び第２ガイド溝９２２に引っ掛かって、スライダ９４０がＺ方向に動けなくなる可能性がある。
【０００５】
そこで、本発明は、スイッチ内の複数の領域を個別に照光する機能を有し、且つスライダがスイッチ素子を押圧する際にスライダが傾きにくいスイッチを提供することを目的とする。
【課題を解決するための手段】
【０００６】
本発明は、第１のスイッチとして、
スイッチデバイスと、基板とを備えるスイッチであって、
前記スイッチデバイスは前記基板上に取り付けられており、
前記スイッチデバイスは、ケースと、スイッチ素子と、スライダと、複数の光源とを備えており、
前記ケースには、第１ガイド溝と、第２ガイド溝と、第３ガイド溝とが少なくとも設けられており、
前記第１ガイド溝は、上下方向に延びると共に前記上下方向と直交する水平面内において第１方位に開いており、
前記第２ガイド溝は、前記上下方向に延びると共に前記水平面内において第２方位に開いており、
前記第３ガイド溝は、前記上下方向に延びると共に前記水平面内において第３方位に開いており、
前記スイッチ素子は、前記ケース内に収容されており、
前記スイッチ素子は、前記水平面内において、前記第１ガイド溝から前記第１方位に延びる第１直線と、前記第２ガイド溝から第２方位に延びる第２直線と、前記第３ガイド溝から前記第３方位に延びる第３直線との交点に位置しており、
前記スライダは、少なくとも部分的に前記ケース内に収容されており、
前記スライダは、第１被ガイド部と、第２被ガイド部と、第３被ガイド部と、少なくとも１つの遮光壁と、押し子とを有しており、
前記第１被ガイド部、前記第２被ガイド部及び前記第３被ガイド部が前記第１ガイド溝、前記第２ガイド溝及び前記第３ガイド溝に夫々ガイドされることにより、前記スライダは前記上下方向に移動可能となっており、
前記遮光壁は、前記ケースの内側の空間を複数の領域に仕切っており、
前記押し子は、前記上下方向において前記スイッチ素子の上方に位置しており、
前記スライダが押し下げられると、前記押し子は前記スイッチ素子を押圧し、
前記光源の夫々は、一つの前記領域内であって前記基板上に配置されている
スイッチを提供する。
【０００７】
また、本発明は、第２のスイッチとして、第１のスイッチであって、
前記第１方位と前記第２方位とは、互いに逆方位であり、
前記第１直線と前記第２直線とは、互いに重なっており、
前記第１ガイド溝と前記第２ガイド溝とは、前記水平面内において対向している
スイッチを提供する。
【０００８】
また、本発明は、第３のスイッチとして、第２のスイッチであって、
前記第１被ガイド部と前記第２被ガイド部は、一つの前記遮光壁の両端に位置しており、
前記水平面内において、前記第１被ガイド部、前記第２被ガイド部及び前記一つの前記遮光壁は、一つの直線上に位置している
スイッチデバイスを提供する。
【０００９】
また、本発明は、第４のスイッチとして、第３のスイッチであって
前記スイッチ素子は、前記水平面において、前記一つの前記遮光壁の中心と同じ位置に位置している
スイッチデバイスを提供する。
【００１０】
また、本発明は、第５のスイッチとして、第２又は第３のスイッチであって、
前記押し子は、前記遮光壁の一部として形成されている
スイッチを提供する。
【００１１】
また、本発明は、第６のスイッチとして、第２から第５までのいずれかのスイッチであって、
前記第３直線は、前記第１直線と９０°の角度をなしている
スイッチを提供する。
【００１２】
また、本発明は、第７のスイッチとして、第１から第６までのいずれかのスイッチであって、
前記スライダは、２つ以上の前記遮光壁を有している
スイッチデバイスを提供する。
【００１３】
また、本発明は、第８のスイッチとして、第７のスイッチであって、
前記２つ以上の前記遮光壁は、前記ケースの中心で交差している
スイッチを提供する。
【００１４】
また、本発明は、第９のスイッチとして、第１から第８までのいずれかのスイッチであって、
前記スイッチ素子は、前記水平面において、前記ケースの中心と同じ位置に位置している
スイッチデバイスを提供する。
【００１５】
また、本発明は、第１０のスイッチとして、第１から第９までのいずれかのスイッチであって、
前記スイッチは、シートを更に備えており、
前記ケースは、側壁部と、上部とを有しており、
前記上部は、前記側壁部の上端から前記水平面内において内側に延びており、
前記上部には開口部が形成されており、
前記スライダは、部分的に前記開口部内に位置しており、
前記シートは、前記上部に貼り付けられており、且つ、前記上下方向において前記スライダの上方に位置している
スイッチを提供する。
【００１６】
また、本発明は、第１１のスイッチとして、第１０のスイッチであって、
前記上部は、前記第１ガイド溝、前記第２ガイド溝及び前記第３ガイド溝の上端を塞いでおり、前記スライダの上限位置を規定している
スイッチを提供する。
【００１７】
また、本発明は、第１２のスイッチとして、第１０又は第１１のスイッチであって、
前記スライダは、突出部を有しており、
前記突出部は、前記開口部を通して前記上部よりも上方に突出している
スイッチを提供する。
【００１８】
また、本発明は、第１３のスイッチとして、第１から第１２までのいずれかのスイッチであって、
前記スイッチ素子は前記基板上に固定されている
スイッチを提供する。
【００１９】
また、本発明は、第１４のスイッチとして、第１から第１３までのいずれかのスイッチであって、
前記遮光壁の下端は、前記上下方向において前記基板と対向している
スイッチを提供する。
【００２０】
また、本発明は、第１５のスイッチとして、第１から第１４までのいずれかのスイッチであって、
前記光源はＬＥＤである
スイッチを提供する。
【発明の効果】
【００２１】
本発明のスイッチにおいて、スイッチ素子は、水平面内において、第１ガイド溝から第１方位に延びる第１直線と、第２ガイド溝から第２方位に延びる第２直線と、第３ガイド溝から第３方位に延びる第３直線との交点に位置している。これにより、特許文献１のスイッチと比較して、本発明のスイッチのスライダは、スイッチ素子を押圧する際に水平面に対して傾きにくくなっている。よって、本発明のスイッチにおいては、スライダの第１被ガイド部、第２被ガイド部及び第３被ガイド部が、ケースの第１ガイド溝、第２ガイド溝及び第３ガイド溝に引っ掛かって、スライダが上下方向に動けなくなることはない。
【図面の簡単な説明】
【００２２】
【図１】本発明の実施の形態によるスイッチを示す斜視図である。
【図２】図１のスイッチを示す上面図である。
【図３】図２のスイッチをＡ−Ａ線に沿って示す断面図である。図において、スイッチの一部を拡大して示してある。
【図４】図１のスイッチにおいてシートを除いた部分を示す斜視図である。
【図５】図４のスイッチにおいてスイッチ素子と基板とを除いた部分を上下反転して示す斜視図である。
【図６】図１のスイッチに含まれるケースを示す斜視図である。
【図７】図６のケースを上下反転して示す斜視図である。
【図８】図６のケースを示す上面図である
【図９】図６のケースを示す下面図である。
【図１０】図６のケースを示す側面図である。
【図１１】図１のスイッチに含まれるスライダを示す斜視図である。
【図１２】図１１のスライダを上下反転して示す斜視図である。
【図１３】図１１のスライダを示す下面図である。
【図１４】図１１のスライダを示す側面図である。
【図１５】図１のスイッチに含まれるシートを示す斜視図である。
【図１６】図１のスイッチに含まれる基板を示す斜視図である。
【図１７】特許文献１のスイッチを示す上面図である。
【図１８】図１７のスイッチにおいてスイッチ素子と光源を除いた部分を示す分解斜視図である。
【発明を実施するための形態】
【００２３】
図１から図４までに示されるように、本発明の実施の形態によるスイッチ１００は、基板７００と、スイッチデバイス２００と、シート８００とを備えている。
【００２４】
図１から図４までに示されるように、本実施の形態のスイッチデバイス２００は、基板７００上に取り付けられている。即ち、本実施の形態のスイッチデバイス２００は、上下方向において、基板７００の上面に取り付けられている。本実施の形態において、上下方向はＺ方向であり、上方は＋Ｚ方向である。
【００２５】
図１から図４まで及び図１６から理解されるように、本実施の形態のスイッチデバイス２００は、ケース３００と、スライダ５００と、スイッチ素子４００と、４つの光源６００とを備えている。
【００２６】
図６から図１０までに示されるように、本実施の形態のケース３００は、絶縁体からなり、側壁部３６０と、上部３７０とを有している。側壁部３６０は、上下方向に延びる略角筒形状を有しており、上下方向から見た場合、その外周は４つの角部が面取りされた正方形となっている。上部３７０は、側壁部３６０の上端から水平面内において内側に延びている。換言すれば、側壁部３６０は、上部３７０の水平面内における外周から上下方向において下方に延びている。本実施の形態において、水平面はＸＹ平面であり、下方は−Ｚ方向である。図３に示されるように、ケース３００の側壁部３６０の下端は、基板７００の上面に固定されている。再び図６から図１０を参照して、上部３７０は、上下方向と直交する上面及び下面を有している。また、上部３７０には開口部３８０が形成されている。開口部３８０は、上部３７０を上下方向に貫通する孔であり、水平面内において円形形状を有している。側壁部３６０の略角筒形状の中心軸と、開口部３８０の円形形状の中心軸とは一致しており、夫々水平面と直交している。
【００２７】
図５から図７まで及び図９に示されるように、ケース３００の側壁部３６０の４つの角部には、一対の第１板部３１４、一対の第２板部３２４、一対の第３板部３３４及び一対の第４板部３４４が夫々設けられている。第１板部３１４、第２板部３２４、第３板部３３４及び第４板部３４４は、上下方向に延びる平板形状を有している。第１板部３１４及び第２板部３２４の夫々は、ケース３００の対応する角部からＹ方向において内側に延びている。より詳しくは、第１板部３１４及び第２板部３２４の夫々は、Ｘ方向と直交する両側面を有している。第３板部３３４及び第４板部３４４の夫々は、ケース３００の対応する角部からＸ方向において内側に延びている。より詳しくは、第３板部３３４及び第４板部３４４の夫々は、Ｙ方向と直交する両側面を有している。一対の第１板部３１４は、Ｘ方向において空間をおいて互いに対向している。一対の第２板部３２４は、Ｘ方向において空間をおいて互いに対向している。一対の第３板部３３４は、Ｙ方向において空間をおいて互いに対向している。一対の第４板部３４４は、Ｙ方向において空間をおいて互いに対向している。第１板部３１４、第２板部３２４、第３板部３３４及び第４板部３４４の上端は、上部３７０の下面と接続されている。即ち、ケース３００を上下方向において上方から見た場合、第１板部３１４、第２板部３２４、第３板部３３４及び第４板部３４４は視認できないが、ケース３００を上下方向において下方から見た場合、第１板部３１４、第２板部３２４、第３板部３３４及び第４板部３４４は視認可能となっている。
【００２８】
図５から図７まで及び図９に示されるように、一対の第１板部３１４の間には第１ガイド溝３１０が形成されている。同様に、一対の第２板部３２４の間には第２ガイド溝３２０が形成されており、一対の第３板部３３４の間には第３ガイド溝３３０が形成されており、一対の第４板部３４４の間には第４ガイド溝３４０が形成されている。即ち、本実施の形態のケース３００には、第１ガイド溝３１０と、第２ガイド溝３２０と、第３ガイド溝３３０と、第４ガイド溝３４０とが設けられている。なお、本発明はこれに限定されず、ケースには、第１ガイド溝と、第２ガイド溝と、第３ガイド溝とが少なくとも設けられていればよい。
【００２９】
図５から図７まで及び図９に示されるように、第１ガイド溝３１０は、上下方向に延びると共に水平面内において第１方位に開いており、また上下方向において下方へ抜けている。第２ガイド溝３２０は、上下方向に延びると共に水平面内において第２方位に開いており、また上下方向において下方へ抜けている。第３ガイド溝３３０は、上下方向に延びると共に水平面内において第３方位に開いており、また上下方向において下方へ抜けている。第４ガイド溝３４０は、上下方向に延びると共に水平面内において第４方位に開いており、また上下方向において下方へ抜けている。本実施の形態において、第１方位は−Ｙ方向であり、第２方位は＋Ｙ方向であり、第３方位は−Ｘ方向であり、第４方位は＋Ｘ方向である。即ち、第１方位と第２方位とは、互いに逆方位であり、第３方位と第４方位とは、互いに逆方位である。また、第１方位及び第２方位の夫々は、第３方位及び第４方位のいずれとも直交している。第１ガイド溝３１０と第２ガイド溝３２０とは、水平面内において対向している。また、第３ガイド溝３３０と第４ガイド溝３４０とは、水平面内において対向している。なお、本発明はこれに限定されず、第１方位と第２方位とは、互いに逆方位でなくてもよく、第１方位及び第２方位の夫々は、第３方位と直交していなくてもよい。また、第１ガイド溝と第２ガイド溝とが、水平面内において対向していなくてもよい。
【００３０】
上述のように、第１板部３１４、第２板部３２４、第３板部３３４及び第４板部３４４の上端が上部３７０の下面と接続されているため、第１ガイド溝３１０、第２ガイド溝３２０、第３ガイド溝３３０及び第４ガイド溝３４０の上端は上部３７０によって塞がれている。より詳しくは、上部３７０は、第１規制部３７１、第２規制部３７２、第３規制部３７３及び第４規制部３７４を有しており、第１規制部３７１、第２規制部３７２、第３規制部３７３及び第４規制部３７４は、第１ガイド溝３１０、第２ガイド溝３２０、第３ガイド溝３３０及び第４ガイド溝３４０の上端を夫々塞いでいる。よって、ケース３００を上下方向において上方から見た場合、第１ガイド溝３１０、第２ガイド溝３２０、第３ガイド溝３３０及び第４ガイド溝３４０は視認できないが、ケース３００を上下方向において下方から見た場合、第１ガイド溝３１０、第２ガイド溝３２０、第３ガイド溝３３０及び第４ガイド溝３４０は視認可能となっている。
【００３１】
図１１から図１４までに示されるように、本実施の形態のスライダ５００は、絶縁体からなり、上下方向と平行であってスライダ５００の中心を通る仮想線に対して４回回転対称性を有する。
【００３２】
図３から図５までに示されるように、本実施の形態のスライダ５００は、少なくとも部分的にケース３００内に収容されている。また、スライダ５００は、部分的にケース３００の開口部３８０内に位置している。より詳しくは、上下方向と平行であってスライダ５００の中心を通る仮想線は、ケース３００の側壁部３６０の略角筒形状の中心軸と重なっている。
【００３３】
図１１から図１４までに示されるように、本実施の形態のスライダ５００は、第１遮光壁（遮光壁）５５０と、第２遮光壁（遮光壁）５７０と、第１被ガイド部５１０と、第２被ガイド部５２０と、第３被ガイド部５３０と、第４被ガイド部５４０と、凹部５８０と、押し子５９０と、突出部５９５とを有している。なお、本実施の形態のスライダ５００は遮光壁を２つ有しているが、本発明はこれに限定されず、少なくとも１つの遮光壁を有していればよく、また２つ以上の遮光壁を有していてもよい。また、本実施の形態のスライダ５００は、第１被ガイド部５１０と、第２被ガイド部５２０と、第３被ガイド部５３０と、第４被ガイド部５４０とを有しているが、本発明はこれに限定されず、第１被ガイド部と、第２被ガイド部と、第３被ガイド部とを有していればよい。
【００３４】
図１１から図１４までに示されるように、本実施の形態の第１遮光壁５５０は、ＹＺ平面に延びる平板形状を有しており、上下方向において下端５５２を有している。同様に、本実施の形態の第２遮光壁５７０は、ＸＺ平面に延びる平板形状を有しており、上下方向において下端５７２を有している。本実施の形態の第１遮光壁５５０と第２遮光壁５７０とは、同じ形状を有している。また、第１遮光壁５５０と第２遮光壁５７０とは、水平面において直交しており、第１遮光壁５５０の下端５５２と第２遮光壁５７０の下端５７２とは、上下方向において同じ位置に位置している。
【００３５】
図３から図５までに示されるように、本実施の形態の第１遮光壁５５０と第２遮光壁５７０とは、ケース３００の中心で交差している。なお、本発明はこれに限定されず、スライダが２つ以上の遮光壁を有する場合、２つ以上の遮光壁がケースの中心で交差していてもよい。
【００３６】
図４及び図５に示されるように、第１遮光壁５５０と第２遮光壁５７０は、ケース３００の内側の空間を複数の領域３５０に仕切っている。より詳しくは、本実施の形態の第１遮光壁５５０と第２遮光壁５７０は、ケース３００の内側の空間を、互いに同一形状を有する４つの領域３５０に仕切っている。
【００３７】
図３及び図１２から理解されるように、第１遮光壁５５０及び第２遮光壁５７０の下端５５２，５７２は、上下方向において基板７００と対向している。即ち、特許文献１のスイッチと異なり、上下方向において、第１遮光壁５５０及び第２遮光壁５７０の下端５５２，５７２と基板７００との間には、介在するものが存在しない。
【００３８】
図１１から図１４までに示されるように、第１被ガイド部５１０及び第２被ガイド部５２０の夫々は、ＹＺ平面に延びる平板形状を有しており、Ｘ方向と直交する両側面を有している。同様に、第３被ガイド部５３０及び第４被ガイド部５４０の夫々は、ＸＺ平面に延びる平板形状を有しており、Ｙ方向と直交する両側面を有している。
【００３９】
図１１から図１４までに示されるように、第１被ガイド部５１０と第２被ガイド部５２０は、第１遮光壁５５０の両端に位置している。より具体的には、第１被ガイド部５１０は、第１遮光壁５５０の＋Ｙ側端に位置しており、第２被ガイド部５２０は、第１遮光壁５５０の−Ｙ側端に位置している。即ち、水平面内において、第１被ガイド部５１０、第２被ガイド部５２０及び第１遮光壁５５０は、一つの直線上に位置している。ここで、第１被ガイド部５１０、第２被ガイド部５２０及び第１遮光壁５５０は、一体形成されており、同一のＹＺ平面内に延びている。同様に、第３被ガイド部５３０と第４被ガイド部５４０は、第２遮光壁５７０の両端に位置している。より具体的には、第３被ガイド部５３０は、第２遮光壁５７０の＋Ｘ側端に位置しており、第４被ガイド部５４０は、第２遮光壁５７０の−Ｘ側端に位置している。即ち、水平面内において、第３被ガイド部５３０、第４被ガイド部５４０及び第２遮光壁５７０は、一つの直線上に位置している。ここで、第３被ガイド部５３０、第４被ガイド部５４０及び第２遮光壁５７０は、一体形成されており、同一のＸＺ平面内に延びている。
【００４０】
図１１から図１４までに示されるように、第１被ガイド部５１０の上端には第１被規制部５１２が形成されている。同様に、第２被ガイド部５２０、第３被ガイド部５３０及び第４被ガイド部５４０の上端には、第２被規制部５２２、第３被規制部５３２及び第４被規制部５４２が夫々形成されている。第１被規制部５１２及び第２被規制部５２２は、上下方向と直交する平面部５１３，５２３を有し、Ｘ方向における端部が面取りされている。同様に、第３被規制部５３２及び第４被規制部５４２は、上下方向と直交する平面部５３３，５４３を有し、Ｙ方向における端部が面取りされている。図３及び図１４を参照すると、平面部５１３，５２３，５３３，５４３は、上下方向において同じ位置に位置している。
【００４１】
図３から図５までに示されるように、第１被ガイド部５１０の＋Ｘ側の側面は、＋Ｘ側に位置する第１板部３１４の−Ｘ側の側面と対向しており、第１被ガイド部５１０の−Ｘ側の側面は、−Ｘ側に位置する第１板部３１４の＋Ｘ側の側面と対向している。同様に、第２被ガイド部５２０の＋Ｘ側の側面は、＋Ｘ側に位置する第２板部３２４の−Ｘ側の側面と対向しており、第２被ガイド部５２０の−Ｘ側の側面は、−Ｘ側に位置する第２板部３２４の＋Ｘ側の側面と対向している。第３被ガイド部５３０の＋Ｙ側の側面は、＋Ｙ側に位置する第３板部３３４の−Ｙ側の側面と対向しており、第３被ガイド部５３０の−Ｙ側の側面は、−Ｙ側に位置する第３板部３３４の＋Ｙ側の側面と対向している。同様に、第４被ガイド部５４０の＋Ｙ側の側面は、＋Ｙ側に位置する第４板部３４４の−Ｙ側の側面と対向しており、第４被ガイド部５４０の−Ｙ側の側面は、−Ｙ側に位置する第４板部３４４の＋Ｙ側の側面と対向している。
【００４２】
図３から図５、図９及び図１１から理解されるように、スライダ５００の第１被ガイド部５１０の第１被規制部５１２の平面部５１３は、上下方向において、ケース３００の上部３７０の第１規制部３７１と接触している。同様に、スライダ５００の第２被規制部５２２、第３被規制部５３２及び第４被規制部５４２の平面部５２３，５３３，５４３は、上下方向において、ケース３００の上部３７０の第２規制部３７２、第３規制部３７３及び第４規制部３７４と夫々接触している。
【００４３】
図３から図５までから理解されるように、本実施の形態のスイッチ１００において、第１被ガイド部５１０、第２被ガイド部５２０、第３被ガイド部５３０及び第４被ガイド部５４０が第１ガイド溝３１０、第２ガイド溝３２０、第３ガイド溝３３０及び第４ガイド溝３４０に夫々ガイドされることにより、スライダ５００は上下方向に移動可能となっている。また前述のように、ケース３００の上部３７０が、第１ガイド溝３１０、第２ガイド溝３２０、第３ガイド溝３３０及び第４ガイド溝３４０の上端を塞いでいるため、ケース３００の上部３７０はスライダ５００の上限位置を規定している。これにより、スライダ５００が、ケース３００の上部３７０を超えて上方に抜けてしまうことが防がれている。しかしながら、本発明はこれに限定されない。第１被ガイド部、第２被ガイド部及び第３被ガイド部が第１ガイド溝、第２ガイド溝及び第３ガイド溝に夫々ガイドされることにより、スライダが上下方向に移動可能となっていればよい。また、上部が、第１ガイド溝、第２ガイド溝及び第３ガイド溝の上端を塞ぐことにより、スライダの上限位置を規定していてもよい。
【００４４】
図３、図５及び図１２から図１４までに示されるように、本実施の形態の凹部５８０は、第１遮光壁５５０及び第２遮光壁５７０の一部であり、スライダ５００の中心の下端及びその近傍に形成されている。凹部５８０は、上下方向において上方に凹んでいる。即ち、凹部５８０の上面は、上下方向において第１遮光壁５５０の下端５５２及び第２遮光壁５７０の下端５７２の何れよりも上方に位置している。
【００４５】
図３、図５及び図１２から図１４までに示されるように、本実施の形態の押し子５９０は、第１遮光壁５５０及び第２遮光壁５７０の一部として形成されている。より具体的には、本実施の形態の押し子５９０は、凹部５８０の上面から下方に突出した突起であり、上下方向と平行であってスライダ５００の中心を通る仮想線に対して回転対称な略円筒形状を有している。押し子５９０の下端は、第１遮光壁５５０の下端５５２及び第２遮光壁５７０の下端５７２の何れよりも上方に位置している。また、押し子５９０は、上下方向においてスイッチ素子４００の上方に位置している。なお本発明はこれに限定されず、押し子が遮光壁の一部として形成されていなくてもよい。即ち、押し子が遮光壁から延びる支持部により支持されるような構造であってもよい。
【００４６】
図３、図４、図１１、図１２及び図１４に示されるように、本実施の形態の突出部５９５は、第１遮光壁５５０及び第２遮光壁５７０の上端から上方に延びている。突出部５９５の上端は、上下方向において、第１被規制部５１２、第２被規制部５２２、第３被規制部５３２及び第４被規制部５４２の平面部５１３，５２３，５３３，５４３よりも上方に位置している。突出部５９５は、概略上下方向に延びる４つの外側面５９６を有している。外側面５９６の下端は、第１被規制部５１２、第２被規制部５２２、第３被規制部５３２及び第４被規制部５４２の内端に夫々接続されている。突出部５９５は、ケース３００の開口部３８０を通して上部３７０よりも上方に突出している。即ち、突出部５９５の上端は、上下方向においてケース３００の上部３７０の上面よりも上方に位置している。
【００４７】
図１６を参照すると、本実施の形態のスイッチ素子４００は、導電体と樹脂シートからなるものであり、上下方向において上方に膨らんだドーム接点４１０を有している。ここでドーム接点４１０は、その上部を樹脂シートで覆われている。本実施の形態のスイッチ素子４００は、ドーム接点４１０の上端付近を押圧することによりドーム接点４１０が変形して導通状態となり、押圧を止めるとドーム接点４１０が弾性により元の形状に戻って非導通状態となるものである。しかしながら本発明はこれに限定されず、上下方向に押圧されることにより導通状態と非導通状態とを切り替えるものであれば形状は問わない。
【００４８】
図３及び図１６を参照すると、本実施の形態のスイッチ素子４００は、基板７００上に固定されており、ケース３００内に収容されている。より詳しくは、本実施の形態のスイッチ素子４００は、水平面において、ケース３００の中心と同じ位置に位置している。即ち、スイッチ素子４００は、ケース３００の側壁部３６０の略角筒形状の中心軸上に位置している。なお、本発明はこれに限定されず、スイッチ素子は、水平面においてケースの中心と同じ位置に位置していなくてもよい。
【００４９】
図３、図５及び図７から図９までを参照すると、本発明のスイッチ素子４００は、水平面内において、第１ガイド溝３１０から第１方位に延びる第１直線３１２と、第２ガイド溝３２０から第２方位に延びる第２直線３２２と、第３ガイド溝３３０から第３方位に延びる第３直線３３２との交点に位置している。より詳しくは、本実施の形態のスイッチ素子４００は、水平面内において、第１ガイド溝３１０から第１方位に延びる第１直線３１２と、第２ガイド溝３２０から第２方位に延びる第２直線３２２と、第３ガイド溝３３０から第３方位に延びる第３直線３３２と、第４ガイド溝３４０から第４方位に延びる第４直線３４２との交点に位置している。ここで、第１直線３１２と第２直線３２２とは、互いに重なっている。また、第３直線３３２と第４直線３４２とは、互いに重なっている。更に、第３直線３３２は、第１直線３１２と９０°の角度をなしている。同様に、第４直線３４２は、第１直線３１２と９０°の角度をなしている。なお、本発明はこれに限定されず、第１直線と第２直線とは、互いに重なっていなくてもよい。また、第３直線は、第１直線と９０°の角度をなしていなくてもよい。
【００５０】
図３を参照すると、本実施の形態のスイッチ素子４００は、上下方向と平行であってスライダ５００の中心を通る仮想線上に位置しており、上下方向においてスライダ５００の押し子５９０の下方に位置している。また、本実施の形態のスイッチ素子４００は、水平面において、第１遮光壁５５０の中心と同じ位置に位置しており、第２遮光壁５７０の中心とも同じ位置に位置している。なお、本発明はこれに限定されず、スイッチ素子は、水平面において、第１遮光壁の中心と同じ位置に位置していなくてもよく、また、第２遮光壁５７０の中心とも同じ位置に位置していなくてもよい。
【００５１】
図３及び図１６において、本実施の形態の光源６００はＬＥＤである。図３から図５及び図１６から理解されるように、本実施の形態の光源６００の夫々は、一つの領域３５０内であって基板７００上に配置されている。即ち、本実施の形態の４つの光源６００は、上下方向において基板７００の上面に配置されており、且つ、水平面において４つの領域３５０の夫々の内側に位置している。上述のように、領域３５０の夫々は、第１遮光壁５５０と第２遮光壁５７０により仕切られていることから、本実施の形態のスイッチ１００においては、スイッチ１００のケース３００の内部の４つの領域３５０を個別に照光することができるようになっている。なお、本実施の形態のスイッチデバイス２００は、４つの光源６００を備えているが、本発明はこれに限定されない。即ち、スイッチデバイスは複数の光源を備えていればよく、またＬＥＤ以外の光源であってもよい。
【００５２】
前述のように、第１遮光壁５５０及び第２遮光壁５７０の下端５５２，５７２は、上下方向において基板７００と対向している。これにより、図３に示されるように、本実施の形態の光源６００は、上下方向において第１遮光壁５５０及び第２遮光壁５７０の下端５５２，５７２とほぼ同じ位置に位置している。本実施の形態のスイッチ１００がこのような構成をとることにより、光源が指向性を有さないものであっても、水平面内において隣接する領域３５０間の遮光を十分確保することができる。
【００５３】
図１から図３及び図１５を参照して、本実施の形態のシート８００は、絶縁体からなり、エンボス加工が施されている。より詳しくは、本実施の形態のシート８００は、周縁部８１０と、隆起部８２０と、４つの窓部８２２とを有している。
【００５４】
図１から図３及び図１５に示されるように、本実施の形態の周縁部８１０は、水平面内に延びる平板形状を有しており、上下方向から見た場合、略正方枠状の形状となっている。本実施の形態の隆起部８２０は、上下方向と直交する方向において周縁部８１０の内側に位置している。また本実施の形態の隆起部８２０は、上下方向において周縁部８１０よりも上方に膨らんでおり、上下方向から見た場合、角丸正方形状となっている。本実施の形態の窓部８２２は、光源６００から照射される光を透過するように構成されている。
【００５５】
図１から図３に示されるように、本実施の形態のシート８００は、ケース３００の上部３７０に貼り付けられており、且つ、上下方向においてスライダ５００の上方に位置している。より詳しくは、シート８００の周縁部８１０は、ケース３００の上部３７０の上面に貼り付けられている。ここで、シート８００の隆起部８２０の角丸正方形状の中心軸は、ケース３００の側壁部３６０の略角筒形状の中心軸と一致している。上述のように、ケース３００にはシート８００を貼り付けるための上部３７０が設けられていることから、シート８００をケース３００に対して安定的に貼り付けることができるようになっている。４つの窓部８２２は、４つの光源６００と夫々対応している。窓部８２２の夫々は、対応する光源６００が位置している領域３５０を上方に延長した領域内に位置している。前述のように、スイッチ１００のケース３００の内部の４つの領域３５０を個別に照光することができるようになっていることから、本実施の形態のスイッチ１００においては、シート８００の隆起部８２０の窓部８２２を個別に照光することができる。
【００５６】
スイッチ１００の動作について、以下に詳述する。
【００５７】
図３及び図１６から理解されるように、スライダ５００が押し下げられると、押し子５９０はスイッチ素子４００を押圧する。より詳しくは、シート８００の隆起部８２０が上方から押圧されると、スライダ５００の突出部５９５の上端が押圧されてスライダ５００が下方に移動し、スライダ５００の押し子５９０の下端がスイッチ素子４００のドーム接点４１０の上端付近を押圧する。これによりドーム接点４１０が弾性変形してスイッチ素子４００が導通状態となる。
【００５８】
この状態から、シート８００の隆起部８２０の押圧を止めると、スイッチ素子４００のドーム接点４１０は弾性により元の形状に戻ってスイッチ素子４００は非導通状態となる。このとき、スライダ５００は上方に移動して、第１被規制部５１２、第２被規制部５２２、第３被規制部５３２及び第４被規制部５４２の平面部５１３、５２３，５３３，５４３が上下方向においてケース３００の上部３７０の第１規制部３７１、第２規制部３７２、第３規制部３７３及び第４規制部３７４と夫々接触し、スライダ５００の上方への移動は停止する。
【００５９】
前述のように、本発明のスイッチ素子４００は、水平面内において、第１ガイド溝３１０から第１方位に延びる第１直線３１２と、第２ガイド溝３２０から第２方位に延びる第２直線３２２と、第３ガイド溝３３０から第３方位に延びる第３直線３３２との交点に位置している。これにより、特許文献１のスイッチと比較して、本発明のスライダ５００は、スイッチ素子４００を押圧する際に水平面に対して傾きにくくなっている。よって、本発明のスイッチ１００においては、スライダ５００の第１被ガイド部５１０、第２被ガイド部５２０及び第３被ガイド部５３０が、ケース３００の第１ガイド溝３１０、第２ガイド溝３２０及び第３ガイド溝３３０に引っ掛かって、スライダ５００が上下方向に動けなくなることはない。
【００６０】
特に、前述のように、本実施の形態のスイッチ素子４００は、水平面内において、第１ガイド溝３１０から第１方位に延びる第１直線３１２と、第２ガイド溝３２０から第２方位に延びる第２直線３２２と、第３ガイド溝３３０から第３方位に延びる第３直線３３２と、第４ガイド溝３４０から第４方位に延びる第４直線３４２との交点に位置している。これにより、特許文献１のスイッチと比較して、本実施の形態のスライダ５００は、スイッチ素子４００を押圧する際に水平面に対して、より傾きにくくなっている。よって、本実施の形態のスイッチ１００においては、スライダ５００の第１被ガイド部５１０、第２被ガイド部５２０、第３被ガイド部５３０及び第４被ガイド部５４０が、ケース３００の第１ガイド溝３１０、第２ガイド溝３２０、第３ガイド溝３３０及び第４ガイド溝３４０に引っ掛かって、スライダ５００が上下方向に動けなくなることがより避けられている。
【００６１】
また、前述のように、本実施の形態のスイッチ素子４００は、水平面において、第１遮光壁５５０の中心と同じ位置に位置している。これにより、本実施の形態のスライダ５００は、スイッチ素子４００を押圧する際に水平面に対して傾くことなく安定的に上下動することができる。
【００６２】
加えて、前述のように、本実施の形態のスライダ５００の突出部５９５は、ケース３００の開口部３８０を通して上部３７０よりも上方に突出している。これにより、本実施の形態のスイッチ１００においては、スライダ５００の押圧が容易となっている。
【００６３】
以上、本発明について、複数の実施の形態を掲げて具体的に説明してきたが、本発明はこれに限定されるわけではなく、種々の変形が可能である。
【符号の説明】
【００６４】
１００        スイッチ
２００        スイッチデバイス
３００        ケース
３１０        第１ガイド溝
３１２        第１直線
３１４        第１板部
３２０        第２ガイド溝
３２２        第２直線
３２４        第２板部
３３０        第３ガイド溝
３３２        第３直線
３３４        第３板部
３４０        第４ガイド溝
３４２        第４直線
３４４        第４板部
３５０        領域
３６０        側壁部
３７０        上部
３７１        第１規制部
３７２        第２規制部
３７３        第３規制部
３７４        第４規制部
３８０        開口部
４００        スイッチ素子
４１０        ドーム接点
５００        スライダ
５１０        第１被ガイド部
５１２        第１被規制部
５１３        平面部
５２０        第２被ガイド部
５２２        第２被規制部
５２３        平面部
５３０        第３被ガイド部
５３２        第３被規制部
５３３        平面部
５４０        第４被ガイド部
５４２        第４被規制部
５４３        平面部
５５０        第１遮光壁（遮光壁）
５５２        下端
５７０        第２遮光壁（遮光壁）
５７２        下端
５８０        凹部
５９０        押し子
５９５        突出部
５９６        外側面
６００        光源
７００        基板
８００        シート
８１０        周縁部
８２０        隆起部
８２２        窓部
【図１】
2018133311.tif 000003
【図２】
2018133311.tif 000004
【図３】
2018133311.tif 000005
【図４】
2018133311.tif 000006
【図５】
2018133311.tif 000007
【図６】
2018133311.tif 000008
【図７】
2018133311.tif 000009
【図８】
2018133311.tif 000010
【図９】
2018133311.tif 000011
【図１０】
2018133311.tif 000012
【図１１】
2018133311.tif 000013
【図１２】
2018133311.tif 000014
【図１３】
2018133311.tif 000015
【図１４】
2018133311.tif 000016
【図１５】
2018133311.tif 000017
【図１６】
2018133311.tif 000018
【図１７】
2018133311.tif 000019
【図１８】
2018133311.tif 000020